(57)【特許請求の範囲】
【請求項１】
並列配置された一方のバスダクトと他方のバスダクト間に支持部材を配設し、
該支持部材の略両端部をそれぞれ該一方のバスダクトの補強部と該他方のバスダクトの補強部に固定部材で固定し、
該支持部材でケーブルを支持するケーブル支持装置において、
該補強部は、該一方のバスダクトと該他方のバスダクトのそれぞれのハウジングで、バスダクトの導体の厚さ方向両側に配置されるバスダクト側板の幅方向両側を外側に屈曲して構成され、
該支持部材の略両端部をそれぞれ該一方のバスダクトの該ハウジング側板と該他方のバスダクトの該ハウジング側板に接触させてなり、
該接触箇所を、該一方のバスダクト内と該他方のバスダクト内の導体に対して該導体幅方向にずらした位置に配置してなることを特徴とするケーブル支持装置。
【請求項２】
並列配置された一方のバスダクトと他方のバスダクト間に支持部材を配設し、
該支持部材の略両端部をそれぞれ該一方のバスダクトの補強部と該他方のバスダクトの補強部に固定部材で固定し、
該支持部材でケーブルを支持するケーブル支持装置において、
該一方のバスダクトと該他方のバスダクトのハウジングを、導体を収納する収納凹部と、該収納凹部から互いに離反するように延設されるフランジ部と、該フランジ部の外側に設けられる該補強部とから構成し、
該支持部材の長手方向両端縁を該フランジ部に当接することを特徴とするケーブル支持装置。
【請求項３】
前記固定部材を、該固定部材の一端にある基部片を前記支持部材の下面に固定し、該固定部材の他端を前記一方のバスダクト及び前記他方のバスダクトの下方側の補強部に引っ掛ける構成とすることを特徴とする請求項１又は２記載のケーブル支持装置。
【発明の詳細な説明】
【０００１】
【発明の属する技術分野】
本発明は、少なくとも２系統のバスダクトを配列配置して構成される電気幹線路内でのケーブル支持装置に関する。
【０００２】
【従来の技術】
従来、電気幹線路内でのケーブルを支持するケーブル支持装置は、バスダクトを支持するバスダクト支持装置と別体に設けられ、それぞれを個々に天井等から吊りボルトで固定することにより、ケーブル配線路及びバスダクト幹線路を形成しているものが一般的であった。
【０００３】
しかし、上記従来の技術では、天井等に空調設備等が存在した場合などは、ケーブル支持装置及びバスダクト支持装置の両方を固定するための天井空間を形成することが困難となり、どちらか一方のみとなってしまうという不具合が生じてしまう。
【０００４】
上記問題点を解消するための、例えば実開昭５８−１１５８２１号に開示されている技術があり、これはダクト内に導体を収納してなる一定長のバスダクトユニット内に信号線を配設する技術である。
【０００５】
しかし、実開昭５８−１１５８２１号に開示されている技術では、既設のバスダクト幹線路内に新たにケーブル支持装置を配設する場合などは、バスダクト自体を解体或いは交換する必要があり、多大な労力と費用を費やすこととなる。また、バスダクト内に信号線を配設しているため、バスダクト内の導体から発生する熱や電磁波の影響を受けやすく、良好な信号の送信を行うことが困難となる不具合が生じてしまう。
【０００６】
上記問題点を解消するための、例えば実開昭４８−２９３９６号に開示されている技術があり、これは主回路がバスダクトで配線接続される電気機器間の制御配線を前記バスダクトに取りつけられた配線ダクトもしくは配線パイプを通して連結接続してなるバスダクト配線電気設備に関する技術である。
【０００７】
【発明が解決しようとする課題】
しかし、実開昭４８−２９３９６号の技術では、バスダクトと配線ダクトもしくは配線パイプの固定方法について特に何らの開示もなされていない。また図３に示すように、バスダクトの下方に形成された配線ダクト内でケーブルを支持する場合、バスダクトの幅によって支持可能なケーブル数等が決められ、例えば比較的断面積の大きいケーブル等を支持する場合などは、支持固定が困難となる。また１系統のバスダクトで下方にケーブル支持装置を支持しているため強度が弱く、安全性に欠ける。
【０００８】
本発明は、上記従来技術の問題点を解消するためになされたものであり、既存のバスダクト幹線路内であっても容易に取り付け及び取り外しすることが可能であり、且つ安定した電気幹線路及びケーブル配線が可能であり、更には新設の場合等に、ケーブルの断面積等を考慮してケーブル配線路を形成することができるケーブル支持装置を提供することを目的とする。
【０００９】
【課題を解決するための手段】
本発明のケーブル支持装置は、並列配置された一方のバスダクトと他方のバスダクト間に支持部材を配設し、該支持部材の略両端部をそれぞれ該一方のバスダクトの補強部と該他方のバスダクトの補強部に固定部材で固定し、該支持部材でケーブルを支持するケーブル支持装置において、該補強部は、該一方のバスダクトと該他方のバスダクトのそれぞれのハウジングで、バスダクトの導体の厚さ方向両側に配置されるバスダクト側板の幅方向両側を外側に屈曲して構成され、該支持部材の略両端部をそれぞれ該一方のバスダクトの該ハウジング側板と該他方のバスダクトの該ハウジング側板に接触させてなり、該接触箇所を、該一方のバスダクト内と該他方のバスダクト内の導体に対して該導体幅方向にずらした位置に配置してなることを特徴とする。また、本発明のケーブル支持装置は、並列配置された一方のバスダクトと他方のバスダクト間に支持部材を配設し、該支持部材の略両端部をそれぞれ該一方のバスダクトの補強部と該他方のバスダクトの補強部に固定部材で固定し、該支持部材でケーブルを支持するケーブル支持装置において、該一方のバスダクトと該他方のバスダクトのハウジングを、導体を収納する収納凹部と、該収納凹部から互いに離反するように延設されるフランジ部と、該フランジ部の外側に設けられる該補強部とから構成し、該支持部材の長手方向両端縁を該フランジ部に当接することを特徴とする。前記ケーブル支持装置は、例えば内部に１又は複数の導体がそれぞれ装填されたバスダクトが少なくとも２系統など複数系統で並列配置された電気幹線路に於いて設けられる。
【００１０】
更に本発明のケーブル支持装置は、上記ケーブル支持装置に於いて、少なくともバスダクトとケーブルとを仕切る仕切部材を前記支持部材に設けたことを特徴とする。前記仕切部材（スペーサ）は、例えば支持部材上にケーブルを載置して支持する場合には、上方に突出する突出片を有するものとする。
【００１１】
また、本発明のケーブル支持装置は、前記固定部材を、該固定部材の一端にある基部片を前記支持部材の下面に固定し、該固定部材の他端を前記一方のバスダクト及び前記他方のバスダクトの下方側の補強部に引っ掛ける構成とすることを特徴とする。
【００１２】
【作用】
本発明のケーブル支持装置は、例えばバスダクトにケーブルを支持するための複数の支持部材（子桁）を所定間隔置いて固定しているため、ケーブル支持装置をバスダクトと別体に天井などから吊り金具等で吊り下げ固定する必要がなく、施工性を向上することができ、コストダウンを図ることができる。またケーブル支持装置を配設する位置に対応するバスダクト間の天井に何らかの設備が配設されていたとしても、問題なくケーブル支持装置を配設することができる。
【００１３】
またケーブル支持装置は少なくとも２系統のバスダクト間に配設され、且つこの２系統のバスダクトでケーブル支持装置が支持されるので、強度や安定性に優れ、安全な電気幹線路及びケーブル配線路を形成することができる。
【００１４】
またケーブル支持装置に仕切部材を設け、この仕切部材により少なくともバスダクトとケーブルとの間を仕切ることで、バスダクト及びケーブル相互間の影響を低減することが可能となり、快適な送電及び通信等を行うことができる。つまり例えばバスダクトから発生する電磁波に対して通信線としてのケーブルへの影響を軽減することが可能となる。またバスダクトハウジングで発生する熱のケーブルに対する影響を軽減することも可能となる。また異種ケーブルを設ける場合に、異種のケーブル相互間にも仕切部材が介在するように構成してもよく、これによりケーブル相互間の影響も低減することが可能となる。
【００１５】
またケーブル支持装置の支持部材を固定部材を介してバスダクトハウジングなどバスダクトに固定する構成により、例えば形状の異なるバスダクトに支持部材を固定する場合であっても、固定部材のみを適宜変更することで対応することができ、コストダウンを図ることができる。
【００１６】
【発明の実施の形態】
以下では本発明のケーブル支持装置を図に於ける具体的な実施形態に基づいて説明する。図１及び図２はバスダクトに固定した第１実施例のケーブル支持装置を示す斜視図及び平面図、図３は前記ケーブル支持装置でケーブルを支持した状態を示す正面図、図４及び図５は第１実施例のケーブル支持装置を示す斜視図及び分解斜視図である。
【００１７】
第一実施例のケーブル支持装置を用いるバスダクト１０は、図１乃至図３に示すように、３線式のバスダクト１０である。前記バスダクト１０は、アルミニウム或いは銅等からなり断面矩形或いは隅丸矩形の平板形状である電気導体をポリエステルシート等の電気絶縁層で被覆した絶縁被覆導体１１と、積層された複数の絶縁被覆導体１１、本実施例では３層の絶縁被覆導体を導体１１の幅方向両端側と厚さ方向両側から保持して収納するバスダクトハウジング１２とを有する。
【００１８】
バスダクトハウジング１２は、同一断面形で相対向する一対のハウジング半体１２０・１２０による２分割体によって形成されている。各ハウジング半体１２０は、断面略コ字形の収納凹部１２０ａと、この収納凹部１２０ａの開口部両端に沿って互いに離反するように延設される所定幅のフランジ部１２０ｂ、及び各フランジ部１２０ｂの外側端縁に沿って付加形成される補強部を有する。
【００１９】
前記補強部は、断面略Ｕ字形或いはコ字形であり、フランジ部１２０ｂの他方のフランジ部１２０ｂとの接合面から外方に延設されている第１補強部１２０ｃと、第１補強部１２０ｃの外側端からフランジ部１２０ｂと略平行で外方に延設されている第２補強部１２０ｄと、第２補強部１２０ｄの端部から内方に延設されている第３補強部１２０ｅとからなる。従って、接合されたハウジング半体１２０・１２０の第１補強部１２０ｃ・１２０ｃは互いに外方に離反するように延設され、第２補強部１２０ｄ・１２０ｄは互いに対峙するように延設され、第３補強部１２０ｅ・１２０ｅは互いに近接するように延設されている。そして、対向する前記補強部の共同により、バスダクトハウジング１２の両端縁に沿って一対の閉断面形状を形成している。
【００２０】
前記補強部の各第２補強部１２０ｄの外側面は、収納凹部１２０ａの外側面に対して少なくとも一部が面一に形成されている。また一方の補強部を形成している第３補強部１２０ｅの内側端部には、他方の補強部を形成している第３補強部１２０ｅの内側端縁の板厚に相応する段差寸法で階段状の段差部１２０ｆが形成され、補強部内に位置しており、他方の第３補強部１２０ｅの内側端縁と段差部１２０ｆとの係合により、第３補強部１２０ｅ・１２０ｅの内側端部を相互に連結する係合部を構成している。
【００２１】
そして、一方の第３補強部１２０ｅの段差部１２０ｆと他方の第３補強部１２０ｅの内側端縁とを互いに嵌合し、第３補強部１２０ｅ・１２０ｅを相互に接合することにより、第３補強部の外側面が平坦に連続し、且つ対向する両ハウジング半体１２０・１２０の相対移動が規制され、両ハウジング半体１２０・１２０の相対的な位置決めがなされる。
【００２２】
更にバスダクトハウジング１２は、互いに対向するハウジング半体１２０・１２０のフランジ部１２０ｂ・１２０ｂを、ボルト及びナットやリベット等の接合手段１２０ｇにより接合され、そのバスダクトハウジング１２内に絶縁被覆導体１１が収納されてバスダクト１０が形成されている。
【００２３】
第一実施例のケーブル支持装置２０は、図４及び図５に示すように、支持部材２１、一対の仕切部材２２・２２、支持部材２１をバスダクト１０に固定するための一対の固定部材２３・２３から構成されている。支持部材２１は所定長さの棒状であり、その上面には長手方向に沿って略中央を切り欠かれてガイド部２１ａが形成され、断面略Ｃ字形のチャンネル金具である。仕切部材２２は、平面視四角形の平板状である基部２２ａの対向する二辺端縁から略直角下方に縁部２２ｂ・２２ｂが延設され、前記二辺以外の内側の他の一辺から略直角上方に突出片２２ｃが延設されて構成され、支持部材２１に固定される。
【００２４】
仕切部材２１と支持部材２２の固定は、基部２２ａを支持部材２１の上面及びガイド部２１ａの一部に載置して覆い、縁部２２ｂ・２２ｂで支持部材２１の側面の一部を覆った状態でなされる。基部２２ａにはボルト２２ｅ等の固定具を挿通する挿通孔２２ｄが形成されており、支持部材２１のガイド部２１ａ内側にガイド部２１ａから上方に抜けない程度の大きさのワッシャー２２ｆ及びナットを配置し、ボルト挿通孔２２ｄに挿通されたボルト２２ｅとワッシャー２２ｆを介したナットで強固に緊締し、仕切部材２１と支持部材２２とを固定する。なおボルト及びナット等以外の固定具等による固定も可能である。
【００２５】
ワッシャー２２ｆは少なくともナットと支持部材２１の上面との間に介在すればよいが、ボルト２２ｅの頭部と仕切部材２２の基部２２ａとの間にも介在するようにしても良い。またワッシャー２２ｆとして、例えば平面視略長方形或いは平面視略楕円形で、長辺（長径）が支持部材２１のガイド部２１ａの幅よりも長く、短辺（短径）は支持部材２１のガイド部２１ａの幅よりも短くするようにしても良く、これにより取付及び取外作業を容易にすることができる。また大径なナットを使用することにより、ワッシャー２２ｆを使用しないようにしても良く、固定具は支持部材２１と仕切部材２２とを固定可能なものあれば適宜のものを使用できる。
【００２６】
固定部材２３は断面略Ｃ字形であり、第１固定片２３ａと、第１固定片２３ａから下方へ略直角方向に延設された第２固定片２３ｂと、第２固定片２３ｂの下端から内側方向へ略直角に延設された第３固定片２３ｃと、第３固定片２３ｃの内側端縁から内側方向へ向かって斜め上方に延設された支持片２３ｄと、支持片２３ｄの上端から内側方向に第３固定片２３ｃと平行に延設された基部片２３ｅとからなり、基部片２３ｅにはボルト挿通孔２３ｆが形成されている。第３固定片２３ｃの長さは後述するバスダクト１０の補強部への固定を行うので、前記固定が可能な長さとする。
【００２７】
固定部材２３は、一端である基部片２３ｅがボルト挿通孔２３ｆにボルトを挿通してナットで緊締するなど締着具で支持部材２１の下面に固定され、他端はバスダクトハウジング１２の下方側に形成された補強部に引っ掛けられ、両側のバスダクト１０・１０と支持部材２１とを強固に固定する。この場合、固定部材２３の第１固定片２３ａは外側の第１補強部１２０ｃに当接し、第２固定片２３ｂは外側の第２補強部１２０ｄと当接し、第３固定片２３ｃは外側の第３補強部１２０ｅと当接する構成である。なおボルト及びナット等以外の締着具等による固定も可能である。
【００２８】
支持部材２１、一対の仕切部材２２・２２、一対の固定部材２３・２３からなるケーブル支持装置２０を、バスダクト１０を並列配置してなる２系統のバスダクト２０・２０間に固定する場合、図１乃至図３に示すように、まず支持部材２１と仕切部材２２とをボルト２２ｅ及びナット等の締着具で固定しておき、その後に一対の固定部材２３・２３の第１固定片２３ａ・２３ａ、第２固定片２３ｂ・２３ｂ及び第３固定片２３ｃ・２３ｃを並列配置されたバスダクト１０・１０の下方側の補強部に於いて、第１補強部１２０ｃ・１２０ｃ、第２補強部１２０ｄ・１２０ｄ、第３補強部１２０ｅ・１２０ｅにそれぞれ当接し、基部片２３ｃ・２３ｃが互いに向きあうように係止する。
【００２９】
その後に支持部材２１の長手方向の両端縁を、並列配置されたバスダクトハウジング１２・１２の下方の向かい合うフランジ部１２０ｂ・１２０ｂに当接し、その状態で各固定部材２３の基部片２３ｅに設けられたボルト挿通孔２３ｆにボルト２３ｇを挿通し、固定部材２３を支持部材２１の下面に固定する。
【００３０】
バスダクト１０と支持部材２１の固定部材２３による固定後にも、支持部材２１上の仕切部材２２は締着したボルト２２ｅを緩めることにより、ガイド部２１ａに沿って仕切部材の位置を自由に変更可能に構成されているため、バスダクト１０と支持部材２１を固定するまでの間に、仕切部材２２の取付位置に関して正確性が必要とされない。また上記ケーブル支持装置２０ではケーブルの種類、大きさ、本数等に応じて、容易にケーブル配線路の幅を変更することが可能である。ケーブル支持装置２０に支持されるケーブルとしては、例えば、バスダクト１０から分岐された電気ケーブルや電気幹線路内の通信ケーブル等が考えられ、電話線や光ケーブル等全てが含まれる。
【００３１】
また上記固定方式により、ケーブル支持装置２０が下方へ落下する力を、互いに向きあうバスダクトハウジング１２・１２の下方の第１補強部１２０ｃ・１２０ｃ、固定部材２３・２３、及び互いに離反するバスダクトハウジングの下方の第１補強部１２０ｃ・１２０ｃにより支持し、バスダクト１０・１０自体が相互に離反しあう方向への力は、固定部材２３・２３を介してバスダクトハウジングの下方で外側の第２補強部１２０ｄ・１２０ｄにより支持しているため、ケーブル支持装置２０をバスダクト１０に安定して固定することができる。なおバスダクトハウジング１２の下方の補強部ではなく上方の補強部に固定する構成としても良い。
【００３２】
またケーブル支持装置２０は、バスダクトハウジング１２のうち熱の影響を受けにくい補強部に固定金具など固定部材２３で固定されているため、固定部材２３や支持部材２１に熱伝導性の高い材質のものを使用した場合であっても、ケーブルに与える影響を極力少なくすることができる。つまりバスダクトハウジング１２内に並設された絶縁被覆導体１１の厚さ方向と、ケーブル支持装置２０とバスダクトハウジング１２の接触箇所が重ならないように固定されているため、換言すれば絶縁被覆導体１１から出来るだけ遠い位置で固定されているため、熱の影響を受けにくい。
【００３３】
またケーブル支持装置２０をバスダクト１０に固定する際に、バスダクト１０自体にボルト等を貫通する必要がないため、容易に固定作業を行うことができると共に、既設のバスダクト幹線路であってもケーブル支持装置２０を固定するための作業を容易に行える。またバスダクト１０自体にボルト穴をあける必要がなく、設置作業等でバスダクト１０自体に悪影響（粉塵の侵入等）を与えることがない。
【００３４】
第１実施例のケーブル支持装置２０を使用するバスダクト１０の支持装置は適宜なものが採用可能であり、例えばバスダクト１０を水平に支持する場合のバスダクト１０の支持装置も適宜なものが採用可能である。ここでは例として、水平支持されたバスダクトにケーブル支持装置２０を使用する場合について図６及び図７に基づき説明する。図６は第１実施例のケーブル支持装置、バスダクト支持装置、バスダクトの設置構成の第１例を示す平面図、図７は図６の設置構成でケーブルを支持した状態を示す正面図である。
【００３５】
バスダクト１０を支持するバスダクト支持装置３０も、ケーブル支持装置２０と同様に支持部材３１と一対の仕切部材３２・３２を有し、支持部材３１上にバスダクト１０を載置し、固定部材３３である断面略Ｚ字形の金具をバスダクトハウジング１２の補強部に係止することにより、バスダクト１０とバスダクト支持装置３０が固定されバスダクト１０が支持されている。支持部材３１の両端縁には天井から吊り下げられた吊りボルトなどの吊り金具３４の先端が固定され、支持部材３１を吊り下げて定置している。そして、バスダクト１０が複数系統一括して並列状態で支持されている。なお支持部材３１のガイド部等を有する構成は支持部材２１と同様であり、仕切部材３２の基部、縁部、突出片３２ｃ等を有する構成は仕切部材２２と同様である。
【００３６】
バスダクト支持装置３０は、ケーブル支持装置２０が配設された間隔よりも長い所定間隔で配設され、バスダクト支持装置３０上に本例では２系統のバスダクト１０・１０を載置し、固定部材３３で固定してバスダクト１０が支持されている。バスダクト支持装置３０の間にケーブル支持装置２０を配設し、対向する仕切部材２２・２２間及び仕切部材３２・３２間にケーブル４０を載置する構成により、使用するケーブル支持装置２０を出来るだけ少なくしてケーブル４０を容易に且つ確実に支持することが可能となる。つまり上記バスダクト支持装置３０がバスダクト１０及びケーブル４０を支持可能であるため、バスダクト支持装置３０・３０間にのみケーブル支持装置２０を配設するだけで確実にケーブルを支持することができる。
【００３７】
また水平支持されたバスダクトにケーブル支持装置２０を使用する場合の別例について図８に基づき説明する。図８は第１実施例のケーブル支持装置、バスダクト支持装置、バスダクトの設置構成の第２例を示す正面図である。
【００３８】
図８の例は、バスダクト１０の上方を吊り金具３４で吊して定置するものである。バスダクト支持装置３０は、吊りボルトなど吊り金具３４と、断面略コ字形で両端縁を互いに内側に屈曲延設された支持片３５ａ・３５ａを有する支持金具３５とからなり、バスダクトハウジング１２の上方に形成された補強部を支持金具３５により支持し、この支持金具３５を吊り金具３４で吊り下げてバスダクト１０を一本吊りするものである。
【００３９】
なお上記のように様々なバスダクト支持装置３０に対して、ケーブル支持装置２０を使用することが可能であり、上記第１例及び第２例に限定されるものではない。
【００４０】
上記では第１実施例のケーブル支持装置２０を水平支持したバスダクト１０に適用した場合について説明したが、当然に垂直支持されたバスダクトであっても対応することは可能であり、更には図９及び図１０に示すように、垂直支持されたバスダクトが水平支持へ屈曲する場合にも対応することができる。図９はバスダクトが垂直から水平へ屈曲している場合に第一実施例のケーブル支持装置を固定した状態を示す正面図、図１０は図９の右側面図である。
【００４１】
バスダクト１０は、例えば導体及びハウジング１２をそれぞれ略直角に溶接することにより屈曲することが可能であり、またバスダクト１０の接続部にて屈曲することが可能であり、適宜の方式で屈曲することができる。そして、この屈曲されたバスダクト１０に於ける屈曲部以外の補強部に、固定部材２３を介してケーブル支持装置２０を固定することにより対応することができる。また垂直支持されたバスダクト１０に固定されたケーブル支持装置２０とケーブル４０は、別途固定部材で固定することが可能である。
【００４２】
更にバスダクト１０が垂直から水平へ分岐された場合にも同様に、図１１及び図１２に示すように対応することが可能である。図１１はバスダクトが垂直から水平へ分岐している場合に第一実施例のケーブル支持装置を固定した状態を示す正面図、図１２は図１１の右側面図である。なお本例のバスダクト１０も、上記図９及び図１０に示すバスダクト１０と同様に、例えば導体及びハウジング１２をそれぞれ略直角に溶接する等で形成されたものである。
【００４３】
ケーブル支持装置２０の支持部材２１は、垂直方向のバスダクト１０に沿って一定間隔あけバスダクト１０の補強部に固定されていると共に、分岐された水平方向のバスダクト１０に沿って一定間隔あけバスダクト１０の補強部に固定されている。そして、垂直方向に固定された支持部材２１・２１間を通して水平支持されている支持部材２１上にケーブル４０を分離することが可能であり、より様々なケーブル路を形成することができる。
【００４４】
更に図１３に示すように、バスダクト１０を接続する接続部などで接続角度を調節可能な場合にも対応することができる。図１３は接続部で角度調整可能である接続したバスダクトを示す側面図である。
【００４５】
図１３に於けるバスダクト１０は、先端が露出した導体１１の端部同士を重ね合わせ、各相毎及び最外側の導体１１の端部と接続側板１３との間に略円形の絶縁セパレータ１４を介在し、これらをワッシャーを介在してなるボルトナットなど締着具１５で一括緊締されている。さらに導体厚さ方向の対応開放面に、略中央に屈曲部１６ａを有する接続上下板１６・１６を被せることにより、接続部１７でバスダクト１０・１０相互を角度調整可能に接続可能である。
【００４６】
接続上下板１６は、バスダクト１０の端部に設けられた接続部１７に、接続上下板１６に設けられた導体長さ方向に長い略楕円形の長穴にボルト１８を挿通してナットで緊締するなどで固定される。前記長穴は、バスダクト１０を屈曲した際に、接続上下板１６は図に示すように接続部１７の締着具１５を中心に屈曲するため、ボルト１８等の固定位置と接続上下板１６の固定位置がずれることを可能にするため長く形成されている。更に屈曲部１６ａを中心に接続上下板１６の縁部１６ｂに切欠部１６ｃを形成し、容易に屈曲することが可能に構成されている。
【００４７】
上記接続側板１３は、バスダクト接続部１７の締着具１５を中心とする略半円形を互いに重ね合わせているため、屈曲の妨げとなることはない。更に、重ね合わせされたバスダクト１０の絶縁被覆導体１１の端部に於ける露出した端縁も同様に略半円形に形成すると好適であり、角度調節が一層容易となる。
【００４８】
そして、上記構成のバスダクト１０に対しても、接続部１７以外のバスダクト１０の補強部に、ケーブル支持装置２０を固定部材２３により容易に固定することが可能であり、あらゆる電気幹線路を形成することができると同時に、あらゆるケーブル路が形成することができる。
【００４９】
次に本発明のケーブル支持装置の第２実施例について説明する。図１４はバスダクトに固定した第２実施例のケーブル支持装置でケーブルを支持した状態を示す正面図である。
【００５０】
第２実施例で使用するバスダクト１０には、第１実施例のバスダクト１０と同一構成のバスダクト１０を使用されているが、本実施例のバスダクト１０は寝かした状態で並設支持されている。またケーブル支持装置２０は、支持部材２１及び仕切部材２２には同一のものを使用し、固定金具などからなる固定部材２３のみ形状の異なるものを使用している。
【００５１】
本実施例の固定部材２３は、支持部材２１の端部下面で水平に固定支持される基部片２３ｈと、基部片２３ｈの外側端部から垂直方向へ下方に延設された第１固定片２３ｉと、第１固定片２３ｉの下端部から外側方向に延設された第２固定片２３ｊと、第２固定片２３ｊの外側端部から上方に延設された第３固定片２３ｋとを有する。固定部材２３・２３は、その第１固定片２３ｉ・２３ｉの下端縁から第２固定片２３ｊ・２３ｊが互いに離反する方向で、支持部材２１の端部下面に各々固定され、その基部片２３ｈと支持部材２１の下面にボルト２３ｌを挿通してナットで緊締するなど締着具で固定されている。
【００５２】
固定部材２３でバスダクト１０と支持部材２１とを固定した際には、第１固定片２３ｉはバスダクトハウジング１２の第３補強部１２０ｅに当接し、第２固定片２３ｊはバスダクトハウジング１２の第２補強部１２０ｄに当接し、第３固定片２３ｈはバスダクトハウジング１２の第１補強部１２０ｃに当接すると共に、第３固定片２３ｈの端縁はバスダクトハウジング１２のフランジ部１２０ｂに当接する。
【００５３】
つまり固定部材２３により固定された状態では、支持部材２１の端部下面とバスダクトハウジング１２の第２補強部１２０ｄの上端面が当接し、支持部材２１の下方への力をバスダクトハウジング１２の第２補強部１２０ｄで受け止め、支持部材２１の外方への力を固定部材２３の第１固定片２３ｉとバスダクトハウジングの第３補強部１２０ｅで受け止め、支持部材２１の内方への力を固定部材２３の第３固定片２３ｋとバスダクトハウジング１２の第１補強部１２０ｃで受け止め、支持部材２１の上方への力を固定部材２３の第２固定片２３ｊとバスダクトハウジング１２の第２補強部１２０ｄで受け止めることができ、ケーブル支持装置２０及びバスダクト１０を安定することができる。
【００５４】
そして、上記のように寝かした状態で並設支持されたバスダクト１０など、バスダクト１０の施工形態が異なる場合に於いても、ケーブル支持装置２０の固定部材２３を変更するだけで、バスダクト１０とケーブル支持装置２０の固定やケーブル４０の支持が可能であることから、汎用性が高く飛躍的なコストダウンも可能である。
【００５５】
次に本発明のケーブル支持装置の第３実施例について説明する。図１５はバスダクトに固定した第３実施例のケーブル支持装置でケーブルを支持した状態を示す正面図である。図１５に於ける第３実施例のケーブル支持装置２０は、バスダクト１０のバスダクトハウジング１２の形状が異なる場合に対応して固定されるものである。
【００５６】
第３実施例に於けるバスダクト１０は、第１実施例と同様に３線式のバスダクト１０であり、断面矩形或いは隅丸矩形の平板形状でアルミニウム或いは銅等からなる電気導体を絶縁物で被覆してなる絶縁被覆導体１１を積層し、絶縁被覆導体１１の幅方向両端縁（上下方向）にスペーサ１９１・１９１を介在し、これらを導体１１の厚さ方向両側から一対のバスダクト側板１９２・１９２で狭持し、ボルトナット等の締着具１９３で固定してなるものである。
【００５７】
バスダクト側板１９２は、平板状の上下両端縁を導体１１の厚さ方向へ外側に屈曲して延設された第１補強部１９２ａと、第１補強部１９２ａの外側両端縁から互いに向かい合うように屈曲して延設された第２補強部１９２ｂとを有する。またスペーサ１９１は、中空で断面略ロ字形のパイプスペーサであり、バスダクト１０に於いて、その側面はバスダクト側板１９２に当接し、バスダクト側板１９２・１９２の狭持力で固定されている。
【００５８】
バスダクト１０にケーブル支持装置２０を固定する場合、バスダクト側板１９２の第２補強部１９２ｂの上端縁に支持部材２１を載置し、固定金具など固定部材２３で下方から固定することでバスダクト１０とケーブル支持装置２０とを固定する。
【００５９】
第３実施例の固定部材２３は、第１実施例の固定部材２３と略同一形状であって、第１固定片２３ａ、第２固定片２３ｂ、第３固定片２３ｃ、支持片２３ｄ、基部片２３ｅを有する。固定部材２３でバスダクト１０と支持部材２１を固定した場合、基部片２３ｅが支持部材２１の下面にボルトナット等で固定され、支持片２３ｄを介して形成された第３固定片２３ｃはバスダクト側板１９２の下方側の第１補強部１９２ａ及びスペーサ１９１の下面を覆い隠すように配設され、第２固定片２３ｂはバスダクト側板１９２の下方外側の第２補強部１９２ｂに当接し、第１固定片２３ａはバスダクト側板１９２の下方外側の第２補強部１９２ｂの上端縁を覆うように配設される。
【００６０】
そして、バスダクト１０の形状がどのような形状であっても、ケーブル支持装置２０の固定部材２３を変更するだけで、バスダクト１０とケーブル支持装置２０の固定やケーブル４０の支持が可能であることから、第２実施例と同様に汎用性が高く飛躍的なコストダウンも可能である。
【００６１】
また別途バスダクト支持装置３０で支持されたバスダクト１０・１０間にケーブル支持装置２０を配設することにより、少なくとも２系統のバスダクト１０・１０がケーブル支持装置２０で固定されるため、設置されたバスダクト１０及びケーブル支持装置２０の構造的な強度が増すと共に、横方向等への震動に対して強いバスダクト１０、バスダクト支持装置３０及びケーブル支持装置２０を提供することが可能となる。
【００６２】
以上、本発明のケーブル支持装置の第１、第２及び第３実施例について説明したが、本発明は上記実施例に限定されるものではなく、下記のような拡張及び変形をすることができる。例えば本発明のケーブル支持装置を適用するバスダクトは、上記実施例のバスダクトの形態等に限定されるものではなく、例えば３線式以外にも２線式や４線式以上のバスダクトでも対応することができ、又ハウジングの形状が様々異なっても良く、又絶縁被覆型のバスダクト以外の空気絶縁型バスダクト等にも対応することが可能である。
【００６３】
また本発明のケーブル支持装置、これを適用するバスダクト支持装置やバスダクトに使用する部材、例えば支持部材２１、一対の仕切部材２２・２２、一対の固定部材２３・２３等の形状、材質、個数等は上記実施例に限定されるものではない。支持部材２１には施工現場で切断可能なで所定強度を有する材質を使用すると好適である。
【００６４】
また第１実施例のケーブル支持装置２０に関し、バスダクト支持装置３０の第１例として、バスダクト支持装置３０をケーブル支持装置２０の一部として兼用する場合について説明したが、兼用しない場合も本発明に含まれる。
【００６５】
また上記実施例で仕切部材２２をバスダクト１０とケーブル４０との間に設ける構成について説明したが、本発明のケーブル支持装置２０では少なくともバスダクト１０とケーブル４０を仕切る仕切部材２２を設ければ良いため、例えば図１６に示すように、異種のケーブル４０ａ・４０ｂ間にも仕切部材２２を設ける構成としても良い。前記異種のケーブル４０ａ・４０ｂの例として例えば電線と通信回線等があり、電線と通信回線間に仕切部材２２等を配設することにより通信線が電線からの電磁波の影響を受けることを防ぐこと等ができ、より快適な送電及び通信を行うことが可能となる。
【００６６】
また、上記実施形態では第１実施例のケーブル支持装置２０を適用するバスダクト１０に関して、垂直から水平への分岐或いは屈曲した状態のバスダクト１０についても説明したが、第２及び第３実施例に於けるバスダクト１０で垂直から水平への分岐或いは屈曲したものに対しても本発明のケーブル支持装置は適用可能であり、他の変形型バスダクトに対しても使用することが可能である。例えばレジューサーや水平方向、垂直方向へ屈曲或いは分岐するバスダクトでもよく、Ｔ方向のみの分岐でなく、Ｘ方向への分岐をしたバスダクトであっても良い。
【００６７】
【発明の効果】
本発明のケーブル支持装置は、既設の並列配置された複数系統のバスダクト幹線路内等にも、容易にケーブル支持装置を付設及び撤去することが可能であると共に、安定した電気幹線路及びケーブル配線路を構築することができる効果を奏する。
【００６８】
また本発明のケーブル支持装置は、例えば断面積の大きいケーブル等も容易に支持することができるなど、ケーブルの数、断面積、種類等に容易且つ適切に対応することができ、安定性及び安全性に優れたバスダクト幹線路及びケーブル配線路を形成することができる。
【００６９】
また本発明のケーブル支持装置は、その使用の際にバスダクトとケーブル支持装置とを別個に天井から支持固定する必要等がないため、作業性を向上することができる。また本発明のケーブル支持装置は、支持部材をバスダクトハウジングに固定することで配設することが可能であるため、ケーブル支持装置を配設する位置に対応するバスダクト間の天井に何らかの設備が配設されている場合等であっても、容易に確実に配設することができる。
【００７０】
また本発明のケーブル支持装置は、ケーブル支持装置にケーブルとバスダクトとを仕切る仕切部材を介在させているため、バスダクトとケーブル相互間に悪影響を与えることを未然に防止することが可能であり、快適な送電や通信等を行うことができる。また本発明のケーブル支持装置は構造が簡素化されており、安価に提供することができる。
【００７１】
更には接続部にて角度調節可能に接続されたバスダクトにも本発明のケーブル支持装置を取り付けることが可能であるため、電気幹線路及びケーブル路が様々な建造物に対応することができ、建造物内の電気幹線路の形成予定路に障害物が存在する場合等にも容易にこれを回避することができる。
【図面の簡単な説明】
【図１】バスダクトに固定した第１実施例のケーブル支持装置を示す斜視図。
【図２】バスダクトに固定した第１実施例のケーブル支持装置を示す平面図。
【図３】バスダクトに固定した第１実施例のケーブル支持装置でケーブルを支持した状態を示す正面図。
【図４】第１実施例のケーブル支持装置を示す斜視図。
【図５】第１実施例のケーブル支持装置を示す分解斜視図。
【図６】第１実施例のケーブル支持装置、バスダクト支持装置、バスダクトの設置構成の第１例を示す平面図。
【図７】図６の設置構成でケーブルを支持した状態を示す正面図。
【図８】第１実施例のケーブル支持装置、バスダクト支持装置、バスダクトの設置構成の第２例を示す正面図。
【図９】バスダクトが垂直から水平へ屈曲している場合に第一実施例のケーブル支持装置を固定した状態を示す正面図。
【図１０】図９の右側面図。
【図１１】バスダクトが垂直から水平へ分岐している場合に第一実施例のケーブル支持装置を固定した状態を示す正面図。
【図１２】図１１の右側面図。
【図１３】（ａ）接続部で角度調整可能である接続したバスダクトを示す側面図。（ｂ）同図（ａ）で接続されたバスダクトの角度を変化した状態を示す側面図。
【図１４】バスダクトに固定した第２実施例のケーブル支持装置でケーブルを支持した状態を示す正面図。
【図１５】バスダクトに固定した第３実施例のケーブル支持装置でケーブルを支持した状態を示す正面図。
【図１６】バスダクトに固定した第１実施例のケーブル支持装置でケーブルを支持した状態の変形例を示す正面図。
【符号の説明】
１０  バスダクト
１１  絶縁被覆導体
１２  バスダクトハウジング
１２０  ハウジング半体
１２０ａ  収納凹部
１２０ｂ  フランジ部
１２０ｃ  第１補強部
１２０ｄ  第２補強部
１２０ｅ  第３補強部
１２０ｆ  段差部
２０  ケーブル支持装置
３０  バスダクト接続装置
２１、３１  支持部材
２１ａ  ガイド部
２２、３２  仕切部材
２２ａ  基部
２２ｂ  縁部
２２ｃ、３２ｃ  突出片
２３、３３  固定部材
２３ａ、２３ｉ  第１固定片
２３ｂ、２３ｊ  第２固定片
２３ｃ、２３ｋ  第３固定片
２３ｄ  支持片
２３ｅ、２３ｈ  基部片
３４  吊り金具
３５  支持金具
４０、４０ａ、４０ｂ  ケーブル
【図１】
0004489270.tif 000002
【図２】
0004489270.tif 000003
【図３】
0004489270.tif 000004
【図４】
0004489270.tif 000005
【図５】
0004489270.tif 000006
【図６】
0004489270.tif 000007
【図７】
0004489270.tif 000008
【図８】
0004489270.tif 000009
【図９】
0004489270.tif 000010
【図１０】
0004489270.tif 000011
【図１１】
0004489270.tif 000012
【図１２】
0004489270.tif 000013
【図１３】
0004489270.tif 000014
【図１４】
0004489270.tif 000015
【図１５】
0004489270.tif 000016
【図１６】
0004489270.tif 000017